(57)【要約】【課題】オーバードライブ補正を行う画像処理装置において、回路規模が小さくても、２Ｄ画像の残像感と３Ｄクロストークの低減を可能にする。【解決手段】入力画像信号（Ｇａ）の各画素の階調値及びそのフレーム間での変化に基づく補正量（Ｆｈ）を、入力画像信号（Ｇａ）の階調値に加算又は乗算することで、補正後画像信号（Ｇｂ）を生成する（１１０）。入力画像信号（Ｇａ）の各画素における階調値及びその変化に基づいて補正量を生成する。２Ｄ画像の場合に比べ、３Ｄ画像の場合に補正量（Ｆｈ）を少なくする。【選択図】図１
2013182108.tif 000002
【特許請求の範囲】
【請求項１】
入力画像信号と、上記入力画像信号が２Ｄ画像表示のためのものであるか、３Ｄ画像表示のためのものであるかを示す識別信号とを受け、該入力画像信号の各画素における階調値及びその時間的変化に基づいて、該階調値に対する補正量を生成する補正量データ生成部と、
上記入力画像信号の階調値に、上記補正量を加算又は乗算することで、補正後画像信号を生成する補正部とを有し、
上記補正量データ生成部は、上記識別信号が、上記入力画像信号が２Ｄ画像であることを示す場合に比べ、３Ｄ画像であることを示す場合に、上記補正量をより少なくする
ことを特徴とする画像処理装置。
【請求項２】
上記補正後画像信号を受けて画像の表示を行なう表示パネルの温度に関する温度情報を生成する温度情報生成部をさらに有し、
上記補正量データ生成部は、上記温度情報にも基づいて上記補正量データを生成する
ことを特徴とする請求項１に記載の画像処理装置。
【請求項３】
上記補正量データ生成部は、
上記識別信号に応じて、補正テーブルを生成する補正テーブル生成部と、
上記入力画像信号の階調値と、上記補正テーブル生成部から出力された補正テーブルとに基づいて、上記補正量を決定する補正量決定部と
を有することを特徴とする請求項２に記載の画像処理装置。
【請求項４】
上記補正量データ生成部は、さらに、
上記前フレーム表示信号と上記補正後画像信号とを受け、予測表示信号を生成する予測部と、
上記予測表示信号を符号化することで、現フレーム符号化表示信号を生成する符号化部と、
上記現フレーム符号化表示信号を１フレーム期間遅延させて前フレーム符号化表示信号を出力するフレームメモリと、
上記前フレーム符号化表示信号を復号することで、上記前フレーム表示信号を生成する復号化部とを備え、
上記補正量決定部は、上記入力画像信号及び上記補正テーブルのみならず、上記前フレーム表示信号にも基づいて上記補正量を決定する
ことを特徴とする請求項３に記載の画像処理装置。
【請求項５】
上記符号化部は固定長ブロックトランケーション符号化を用いて符号化を行い、
上記復号化部は固定長ブロックトランケーション符号化を用いて復号化を行う
ことを特徴とする請求項４に記載の画像処理装置。
【請求項６】
上記予測部は、上記予測表示信号として、中間輝度に対応する符号を粗くし、または省略したものを出力し、
上記復号化部は、上記前フレーム表示信号として、中間輝度に対応する符号を粗くし、または省略したものを出力する
ことを特徴とする請求項４又は５に記載の画像処理装置。
【請求項７】
上記補正テーブル生成部は、上記補正テーブルとして、上記前フレーム表示信号の中間輝度の場合の補正量の符号を粗くし、または省略したものを生成する
ことを特徴とする請求項４乃至６のいずれかに記載の画像処理装置。
【請求項８】
上記補正テーブル生成部は、上記補正テーブルとして、上記入力画像信号の階調と上記前フレーム表示信号の輝度の差が所定の値以上の場合の補正量の符号を粗くし、または省略したものを生成することを特徴とする請求項４乃至７のいずれかに記載の画像処理装置。
【請求項９】
上記温度情報生成部は上記表示パネルの複数の領域の各々に対応する複数の上記温度情報を生成し、
上記補正テーブル生成部は、上記入力画像信号が上記表示パネルのどの領域を画素の階調値を表すものであるかに応じて、異なる補正テーブルを出力する
ことを特徴とする請求項３乃至８のいずれかに記載の画像処理装置。
【請求項１０】
上記温度情報生成部は上記画像処理装置の起動後の経過時間から上記表示パネルの温度を推定し上記温度情報を生成することを特徴とする請求項２乃至９のいずれかに記載の画像処理装置。
【請求項１１】
請求項１に記載の画像処理装置と、上記補正後画像信号を受けて画像の表示を行なう表示パネルとを備えることを特徴とする画像表示装置。
【請求項１２】
請求項２〜１０のいずれか１つに記載の画像処理装置と、上記表示パネルとを備えることを特徴とする画像表示装置。
【請求項１３】
入力画像信号と、上記入力画像信号が２Ｄ画像表示のためのものであるか、３Ｄ画像表示のためのものであるかを示す識別信号とを受け、該入力画像信号の各画素における階調値及びその時間的変化に基づいて、該階調値に対する補正量を生成する補正量データ生成ステップと、
上記入力画像信号の階調値に、上記補正量を加算又は乗算することで、補正後画像信号を生成する補正ステップとを有し、
上記補正量データ生成ステップは、上記識別信号が、上記入力画像信号が２Ｄ画像であることを示す場合に比べ、３Ｄ画像であることを示す場合に、上記補正量をより少なくする
ことを特徴とする画像処理方法。
【発明の詳細な説明】
【技術分野】
【０００１】
本発明は、画像処理装置及び方法に関する。本発明は特に、入力される２Ｄ画像及び３Ｄ画像信号に対して、オーバードライブのための階調処理を施すことで、応答遅れや残光特性を持った表示装置によって画像を表示しても、残像感や３Ｄクロストークの発生を抑えた良好な画像表示を可能にする画像処理装置及び方法に関するものであり、例えば、液晶パネルとシャッターメガネを用いたフレームシーケンシャル方式の３Ｄ対応テレビで３Ｄ映像を表示する際に、液晶の透過率の時間的変化を予測し、入力される画像により近い輝度となるように映像信号のオーバードライブ量を調整するものである。
本発明はまた、上記の画像処理装置又は方法により処理された画像を表示する画像表示装置に関する。
【背景技術】
【０００２】
一般的に応答遅れや残光特性を持った表示装置に画像を表示する装置において、１フレーム前の画像信号と比較し、現在のフレームの画像の階調を調整したり、電圧を１フレーム以下の時間だけ、本来の電圧よりも高い電圧あるいは本来の電圧よりも低い電圧をかけることで、２Ｄ表示時には残像感を低減し、３Ｄ表示時には３Ｄクロストークを低減することが行われている。
【０００３】
例えば、特許文献１に記載された画像処理装置では、２Ｄ表示の場合、１フレーム前の画像を符号化してフレームメモリに蓄えさらに復号化した結果と現在のフレームの画像と比較することで、オーバードライブ量を決定し残像感を低減している。
【０００４】
また、特許文献２に記載された画像処理装置では、左右画像の輝度を比較して、左右画像の階調を調整することで３Ｄクロストークを低減している。
【先行技術文献】
【特許文献】
【０００５】
【特許文献１】特許第３６１７４９８号明細書
【特許文献２】特許第３０９６６１４号明細書
【発明の概要】
【発明が解決しようとする課題】
【０００６】
しかしながら、２Ｄ表示時の残像抑制に比べ３Ｄ表示時に起きる３Ｄクロストークを低減するには、表示パネルの輝度をより高精度に制御する必要があり、そのために、オーバードライブ量のルックアップテーブルを多数保持しなければならず、回路規模が増大する。また、温度特性やパネルの位置による温度分布に対応するなど、多くのルックアップテーブルを保持する必要がある場合に、回路規模が大きくなってしまうという問題がある。
【０００７】
本発明は上記のような課題を解消するためになされたもので、回路規模が小さくても、２Ｄ画像の残像感と３Ｄクロストークの低減を可能にすることを目的とする。
【課題を解決するための手段】
【０００８】
本発明の画像処理装置は、
入力画像信号と、上記入力画像信号が２Ｄ画像表示のためのものであるか、３Ｄ画像表示のためのものであるかを示す識別信号とを受け、該入力画像信号の各画素における階調値及びその時間的変化に基づいて、該階調値に対する補正量を生成する補正量データ生成部と、
上記入力画像信号の階調値に、上記補正量を加算又は乗算することで、補正後画像信号を生成する補正部とを有し、
上記補正量データ生成部は、上記識別信号が、上記入力画像信号が２Ｄ画像であることを示す場合に比べ、３Ｄ画像であることを示す場合に、上記補正量をより少なくする
ことを特徴とする。
【発明の効果】
【０００９】
本発明によれば、回路規模を抑えつつも、２Ｄ画像の残像感と３Ｄクロストークを低減した好適な表示を行える。
【図面の簡単な説明】
【００１０】
【図１】本発明の実施の形態１による画像表示装置を示すブロック図である。
【図２】補正テーブルの一例を模式的に示す図である。
【図３】２Ｄ表示時の動画の例を表す図である。
【図４】オーバードライブを行わない場合の駆動電圧と液晶の応答の関係を示した図である。
【図５】オーバードライブを行わない場合に２Ｄ表示時の動画で現れる残像の例を示した図である。
【図６】オーバードライブを行う場合の駆動電圧と液晶の応答の関係を示した図である。
【図７】オーバードライブを行う場合に２Ｄ表示時の動画の表示例を示した図である。
【図８】（ａ）及び（ｂ）は、３Ｄ表示時の静止画の例を表す図である。
【図９】３Ｄ表示時のパネルに表示される画像の時間的変化を表した図である。
【図１０】（ａ）〜（ｄ）は、３Ｄ表示時のパネルの表示と３Ｄシャッターメガネの動作の関係を表した図である。
【図１１】２Ｄ表示時と同じ精度のオーバードライブを行う場合の３Ｄ表示時の駆動電圧と液晶の応答の関係を示した図である。
【図１２】液晶３Ｄシャッターメガネの応答を示した図である。
【図１３】２Ｄ表示時と同じ精度のオーバードライブを行う場合の３Ｄ表示時の左目画像の表示例を示した図である。
【図１４】３Ｄ表示用に精度を高めたオーバードライブを行う場合の３Ｄ表示時の駆動電圧と液晶の応答の関係を示した図である。
【図１５】３Ｄ表示用に精度を高めたオーバードライブを行う場合の３Ｄ表示時の左目画像の表示例を示した図である。
【図１６】データ量を削減した補正量テーブルの一例を示す図である。
【図１７】現フレームの階調＝０の場合の、前フレームの階調と現フレームの輝度の関係を示した図である。
【図１８】現フレームの階調＝１２８の場合の、前フレームの階調と現フレームの輝度の関係を示した図である。
【図１９】現フレームの階調＝２５５の場合の、前フレームの階調と現フレームの輝度の関係を示した図である。
【図２０】現フレームの階調＝０の場合の、前フレームの階調と現フレームのクロストーク量の関係を示した図である。
【図２１】現フレームの階調＝１２８の場合の、前フレームの階調と現フレームのクロストーク量の関係を示した図である。
【図２２】現フレームの階調＝２５５の場合の、前フレームの階調と現フレームのクロストーク量の関係を示した図である。
【図２３】前フレームの階調＝０の場合の、現フレームの階調と現フレームの輝度の関係を示した図である。
【図２４】前フレームの階調＝１２８の場合の、現フレームの階調と現フレームの輝度の関係を示した図である。
【図２５】前フレームの階調＝２５５の場合の、現フレームの階調と現フレームの輝度の関係を示した図である。
【図２６】前フレームの階調＝０の場合の、現フレームの階調と現フレームのクロストーク量の関係を示した図である。
【図２７】前フレームの階調＝１２８の場合の、現フレームの階調と現フレームのクロストーク量の関係を示した図である。
【図２８】前フレームの階調＝２５５の場合の、現フレームの階調と現フレームのクロストーク量の関係を示した図である。
【図２９】データ量を削減した補正テーブルの他の例を示す図である。
【図３０】データ量を削減した補正テーブルのさらに他の例を示す図である。
【図３１】データ量を削減した補正テーブルのさらに他の例を示す図である。
【図３２】データ量を削減した補正テーブルのさらに他の例を示す図である。
【図３３】テレビ受像機の構造による発熱量の偏りを示した図である。
【図３４】液晶パネルを発熱量に応じた領域分割を示す図である。
【図３５】本発明の画像表示装置の変形例を示すブロック図である。
【図３６】温度による補正テーブルの補正量を補間する方法を示した図である。
【図３７】本発明の画像表示装置の他の変形例を示すブロック図である。
【図３８】テレビ受像機が起動してからの経過時間と液晶パネルの温度の関係を示した図である。
【図３９】液晶パネルの温度変化による液晶の応答の変化を示した図である。
【図４０】テレビ受像機が起動してからの経過時間と補正テーブルの変更量の変化を示した図である。
【図４１】テレビ受像機に温度センサーを装着する方法を示した図である。
【図４２】変更量を観察者が手動で変更する方法を示した図である。
【図４３】本発明の実施の形態２による画像表示装置を示すブロック図である。
【図４４】実施の形態２による画像表示方法を示すフローチャートである。
【図４５】実施の形態２による補正量データ生成ステップの詳細を示すフローチャートである。
【発明を実施するための形態】
【００１１】
実施の形態１．
図１は、本発明の実施の形態１による画像表示装置を示す。図示の画像表示装置は、画像処理装置１００と表示パネル１４０とを備えている。画像処理装置１００は、入力画像信号Ｇａを受けて補正を行い補正後の画像信号Ｇｂを出力する。表示パネル１４０は、補正後の画像信号Ｇｂを受けて画像の表示を行なう。
【００１２】
画像処理装置１００には、入力画像信号Ｇａとして、２Ｄ動画像を表すもの又は３Ｄ動画像を表すものが入力される。２Ｄ動画像は、連続するフレームの画像の時系列で構成される。３Ｄ動画像も連続するフレームの画像の時系列である点では２Ｄ動画像と同じであるが、左目用の画像と右目用の画像が交互に配列されている点で異なる。このような３Ｄ画像は、一般的に、時分割方式あるいはフレームシーケンシャル方式の動画像と呼ばれる。
【００１３】
入力画像信号Ｇａとしては、例えば、テレビ放送で送信された画像信号をデコードした信号、ビデオレコーダーによって出力された画像信号、パソコンから出力される画像信号などが考えられる。以下では、特に断らない限り、入力画像信号Ｇａが、表示パネル１４０の各画素に対応したＲＧＢ各８ビット、即ち２５６階調（２４ビットフルカラー）の信号である場合について述べる。
【００１４】
画像処理装置１００にはまた、現在の入力画像信号Ｇａが２Ｄ画像であるか３Ｄ画像であるかを表す信号（識別信号）Ｓｎｄが入力される。２Ｄ／３Ｄ信号Ｓｎｄは、具体的には、テレビ放送で送信された画像に付随した信号から抽出したものであっても良く、ビデオレコーダーの出力信号に付随した信号から抽出したものであっても良く、リモコン操作などで視聴者の指示によって生成したものであっても良い。いずれの方法で得られた２Ｄ／３Ｄ信号Ｓｎｄを用いることとするかは、本発明による画像表示装置、例えばテレビ受像機の設計に当たり、選択される。
【００１５】
画像処理装置１００は、入力画像信号Ｇａに対して、当該入力画像信号Ｇａが２Ｄ画像を表すものか３Ｄ画像を表すものかに応じた補正処理を行って、補正後画像信号Ｇｂを表示パネル１４０に供給する。画像処理装置１００から出力される補正後画像信号Ｇｂは、表示パネル１４０の性質に合わせたものとなる。
【００１６】
一般的な液晶表示パネルを用いる場合は、補正後画像信号Ｇｂは各画素の液晶素子に印加される電圧そのものであるか、あるいは印加される電圧を決定する信号である。
また、オーバードライブを行うために１フレーム未満の短い時間で液晶素子に印加される電圧を切り替える回路が、表示パネル１４０内に備わっている場合は、補正後画像信号Ｇｂはその回路を制御し、印加される電圧と時間を決定する信号とされる。
これらの他、表示パネルの性質に合わせどのような信号を用いてもよいが、補正後画像信号Ｇｂは表示パネル１４０の各画素の輝度を制御する信号である。
【００１７】
以下では、液晶に印加される電圧を制御できる表示パネル１４０を用いた場合について具体的に説明する。しかしながら本発明は、液晶に限らず、応答遅れ或いは残光特性を持った表示デバイスであれば、他のものを用いても同様の効果が得られる。
【００１８】
画像処理装置１００は、補正部１１０と、補正量データ生成部１２０と、温度情報生成部１３０とを有する。
【００１９】
補正部１１０は、補正量データ生成部１２０で生成される補正量データＦｈにより入力画像信号Ｇａを補正し、補正後画像信号Ｇｂを出力する。補正部１１０による補正は、例えば補正量データＦｈの入力画像信号Ｇａへの加算により行われる。
【００２０】
温度情報生成部１３０は、表示パネルの各画素（液晶素子）の温度を示す温度情報Ｊａを生成し、補正量データ生成部１２０へ供給する。
温度情報Ｊａは、実測された温度を表すものであっても良く、後述のように装置の起動後の経過時間、気象情報、地域情報（装置が設置されている地域を示す情報）の一つ以上に基づいて推定された温度を表すものであっても良い。
【００２１】
補正量データ生成部１２０は、入力画像信号Ｇａと、２Ｄ／３Ｄ信号Ｓｎｄと、温度情報Ｊａとを受け、入力画像信号Ｇａのフレーム間の変化と、２Ｄ／３Ｄ信号Ｓｎｄが２Ｄを示すか３Ｄを示すかと、温度情報Ｊａが示す温度とに基づいて、補正量データＦｈを生成する。
【００２２】
補正量データ生成部１２０は、補正テーブル生成部１２１と、予測部１２２と、符号化部１２３と、フレームメモリ１２４と、復号化部１２５と、補正量決定部１２６とを有する。
【００２３】
補正テーブル生成部１２１は、２Ｄ／３Ｄ信号Ｓｎｄ及び温度情報Ｊａに基いて補正テーブルＨａを生成して出力する。
補正テーブル生成部１２１は、例えば、予め複数の補正テーブルを記憶しており、記憶している補正テーブルのうちで、２Ｄ／３Ｄ信号Ｓｎｄ及び温度情報Ｊａに応じたものを選択し、選択した補正テーブルＨａを出力する。
【００２４】
予測部１２２は、補正部１１０から出力される補正後画像信号Ｇｂと、温度情報生成部１３０から出力される温度情報Ｊａと、後述の前フレーム表示信号Ｆｆとを入力とし、これらに基づいて、表示パネル１４０の各画素の状態を予測し、予測した各画素の状態を表す予測表示信号Ｆｃを出力する。
予測表示信号Ｆｃが表す表示パネル１４０の各画素の状態は、表示パネル１４０が液晶の場合、例えば、各画素の液晶素子の透過率あるいは輝度をＲＧＢ各８ビット、即ち２５６階調で表される。この場合、１フレーム分の予測表示信号Ｆｃは表示パネル１４０の解像度に応じた量の信号を含む。
【００２５】
予測表示信号Ｆｃは、符号化部１２３に入力される。
符号化部１２３は入力された予測表示信号Ｆｃを符号化することで信号のサイズを圧縮した現フレーム符号化表示信号Ｆｄを生成し、出力する。信号のサイズを圧縮することで、フレームメモリ１２４として容量の小さなものを用いることができ、回路規模を抑えることができる。符号化方法としては例えば固定長ブロックトランケーション符号化（ＦＢＴＣ）を用いることが考えられる。固定長ブロックトランケーション符号化（ＦＢＴＣ）では、効率的に決まったサイズのデータ量に符号化されるため、フレームメモリ１２４を過不足なく有効に活用できる。
なお、表示パネル１４０の特性に基づき残像感と３Ｄクロストークを低減しつつもフレームメモリ１２４の容量を削減できる符号化方法を用いることも考えられるが、その詳細については後述する。
【００２６】
現フレーム符号化表示信号Ｆｄは、フレームメモリ１２４に入力される。フレームメモリ１２４は現フレーム符号化表示信号Ｆｄを保持し、１フレーム遅延させた後、前フレーム符号化表示信号Ｆｅとして出力する。
【００２７】
前フレーム符号化表示信号Ｆｅは、復号化部１２５に入力される。復号化部１２５は、前フレーム符号化表示信号Ｆｅを復号し、前フレーム表示信号Ｆｆとして補正量決定部１２６および予測部１２２へ出力する。
前フレーム表示信号Ｆｆは、前フレームでの表示パネル１４０の表示結果を表す、予測により生成された信号である。
【００２８】
補正量決定部１２６は、入力画像信号Ｇａと、復号化部１２５から出力される前フレーム表示信号Ｆｆと、補正テーブル生成部１２１から供給される補正テーブルＨａとに基づいて、補正量を決定し、決定した補正量を表すデータ（補正量データ）Ｆｈを出力する。
補正量データ生成部１２６は、例えば書き換え可能なメモリを有し、補正テーブル生成部１２１から供給された補正テーブルＨａを格納して、ルックアップテーブルとし、入力画像信号Ｇａの階調値と、前フレーム表示信号Ｆｆの階調値を入力として、これに対応する補正量データＦｈを出力する。
【００２９】
図２は、補正テーブル生成部１２１で生成される補正テーブルの一例を模式的に示す。
補正テーブルは、入力画像信号（現フレーム画像信号）Ｇａの階調値と、前フレーム表示信号Ｆｉの階調値の組合せに対応して補正量を格納したテーブルであり、概念的には、図２に示すように、各行が、入力画像信号（現フレーム画像信号）Ｇａの階調値に対応し、各列が前フレーム表示信号Ｆｉの階調値に対応し、各行と各列の交点に対応する記憶位置に補正量Ｆｈが記憶されている。図２の例では、入力画像信号Ｇａの階調値も、前フレーム表示信号Ｆｆの階調値も２５６値で表されるものであり、全体で２５６×２５６の補正量を示すデータが記憶されている。入力画像信号Ｇａの階調値により行を指定し、前フレーム表示信号Ｆｆの階調値により列を指定して、指定された行及び列の交点の補正量データＦｈが読み出される。
【００３０】
補正テーブル生成部１２１には、図２に示される形式の補正テーブルが複数個蓄えられている。まず、２Ｄ用と３Ｄ用とで別の補正テーブル群が蓄えられており、２Ｄ用の補正テーブル群および３Ｄ用の補正テーブル群の各々には、温度に応じて異なる、複数の補正テーブルが蓄えられている。
【００３１】
補正テーブル生成部１２１に、２Ｄ／３Ｄ信号Ｓｎｄ及び温度情報Ｊａが入力されると、これらに応じた補正テーブルが選択されて補正量決定部１２６に供給され、
補正量決定部１２６のメモリにルックアップテーブルとして保持され、上記のように、入力された入力画像信号Ｇａ及び前フレーム表示信号Ｆｆの値に応じた補正量データＦｈが出力される。
【００３２】
次に、図３〜図７を用いて、２Ｄ動画像を表示した場合の実施の形態１による画像表示装置の動作と効果を説明する。
【００３３】
図３は、２Ｄ動画像の例を示したものであり、階調１０の背景に階調６０の矩形の図形（矩形部分）が表示されている。但し、階調は０から２５５までの値を取り得るものとする。図３上の矢印と破線とバツ印は説明のために記載しており、２Ｄ動画像には含まれない。２Ｄ動画像上の矩形部分の図形は矢印で示した方向に、破線で示した位置まで移動する。
【００３４】
図４は、画像処理装置１００によるオーバードライブを行わない場合の、表示パネル１４０の液晶素子に印加される電圧レベルと液晶素子の透過率の関係を示したものである。画像処理装置１００によるオーバードライブを行わない場合、表示パネル１４０に入力される補正後画像信号Ｇｂは入力画像信号Ｇａと同じものとなり、液晶素子へは入力画像信号Ｇａに対応した電圧が印加される。
【００３５】
図４に示すグラフは図３のバツ印の位置にある画素について変化を示しており、横軸は時間、縦軸は印加電圧及び液晶素子の透過率を表している。実線グラフは印加電圧のレベルの変化、破線グラフは液晶素子の透過率の変化を表している。
まず、印加電圧に着目する。はじめ、背景部分を表示している期間は電圧レベルは買いｔ長０に相当する値である。その後、矩形部分を表示している期間に切り替わると電圧レベルハ階調６０に相当する値まで上昇する。再び、背景部分を表示している期間に切り替わると、電圧レベルは階調０に相当する値まで下降する。
【００３６】
次に、液晶素子の透過率に着目する。はじめ、背景部分の表示期間では、液晶の透過率は０である。その後、矩形部分の表示期間になると、印加電圧の変化を受け、透過率は徐々に上昇するが、その変化は印加電圧の変化に比べ遅く、クロスハッチングで示した分だけ表示パネル１４０上での輝度が減少する。再び、背景部分の表示期間になると、印加電圧の変化を受け、透過率は徐々に降下するが、その変化は印加電圧の変化に比べ遅く、クロスハッチングで示した分だけ表示パネル１４０上での輝度が増加する。
【００３７】
印加電圧の変化に対する液晶の透過率の変化の遅れの程度を示すため、フレーム期間が示してある。図示の例では、透過率が印加電圧に対応した値に達するまでにほぼ１フレーム期間を要している。
【００３８】
図５は、画像処理装置１００によるオーバードライブを行わずに図３で示した２Ｄ動画像を表示した場合の、表示パネル１４０上の見え方を示している。矩形部分の進行方向に対して、矩形部分の前方部分と矩形部分の後方部分の境界ににじみが発生している。その原因は、図４において説明した通り、背景部分の表示と矩形部分の表示の切り替わり直後の画素においては輝度の減少が発生し、逆に矩形部分の表示と背景部分の表示の切り替わり直後の画素においては輝度の増加が発生する為である。この矩形部分のにじみは残像感として人間の目に知覚される。
【００３９】
図６は、画像処理装置１００によるオーバードライブを行う場合の、表示パネル１４０の液晶素子に印加される電圧レベルと液晶素子の透過率の関係を示したものである。図４と同様、図３のバツ印の位置にある画素についての変化を示している。
【００４０】
まず、背景部分（低い輝度）の表示から矩形部分（高い輝度）の表示への切り替わりに着目する。
補正量決定部１２６は、内部に保持している補正テーブルの中の、入力画像信号Ｇａと前フレーム表示信号Ｆｆの組合せに対応する記憶位置に記憶されている補正量データＦｈを読み出して出力する。
補正部１１０は、補正量決定部１２６から出力された補正量データＦｈを入力画像信号Ｇａに加算し、補正後画像信号Ｆｂを生成して出力する。
補正後画像信号Ｇｂは表示パネル１４０に供給されて、補正後画像信号Ｇｂに相当する電圧が表示パネル１４０の液晶素子に印加される。
以上の処理は画素毎に行われ、その結果、入力画像信号Ｇａの画素ごとに、電圧レベルを調整し、調整後の信号が補正後画像信号Ｇｂとして表示パネル１４０の対応する画素を構成する液晶素子の印加電圧の制御に用いられる。
【００４１】
補正量を用いた電圧レベルの調整は、補正量の加算により行われる。高い輝度へ切り替わる場合には補正量は正の値とされる。図６には、入力画像信号Ｇａに対応する電圧が符号Ｖａで示され、補正量Ｆｈに対応する電圧増加分が符号Ｖｈで示され、補正後画像信号Ｇｂに対応する電圧が符号Ｖｂで示されている。図６に示す例では、補正量の加算は、輝度が変化した直後の１フレーム期間のみ行われる。
なお、１フレーム期間の一部のみ、補正量を加算しても良い。但し、１フレーム期間の途中で印加電圧を変更できる機能を有する表示パネル１４０を用いる必要がある。
【００４２】
前フレーム表示信号Ｆｆにより液晶素子の前フレームでの状態が分かり、温度情報Ｊａによって液晶素子の透過率の変化速度が分かるので、そのフレーム内での透過率の積算値(以下、この透過率の積算値を単に「透過量」と言う）がちょうど目標値（現フレームの画像信号Ｇａに相当する透過量に一致するよう、補正量を設定する。
【００４３】
すなわち、図６の背景部分の表示から矩形部分の表示への切り替わりにおいて、クロスハッチングで示されている目標値からの透過量の減少分と、ハッチングで示されている目標値に対する透過量の増加分が等しくなるように、印加電圧を持ち上げるような補正量となる。
【００４４】
同様に矩形部分（高い輝度）の表示から背景部分（低い輝度）の表示への切り替わり部分に対しても、クロスハッチングで示されている、目標値からの透過量の増加分とハッチングで示されている目標値からの透過量の減少分が等しくなるように、印加電圧を押下げるような補正量となる。低い輝度への切り替わりに際しての印加電圧の押下げは、補正量を負の値とすることで行なわれる。
【００４５】
このように、目標輝度が変化する際に、印加電圧を、目標輝度の変化幅よりも大きく変化させる（オーバードライブする）ことで、図５に示したような矩形部分の境界のにじみを生じないようにできる。ところで、人間の目の特性として移動している物体の残像にはそれほど敏感ではない。それゆえ、移動する物体のにじみ（動画ボケ）は一定以上低下すれば、十分に残像感は消える。また、人間の目の特性から、移動する物体の進行方向に対して前方と後方の背景との境界は逆向きに輝度を補正した方が、輪郭がはっきりする。すなわち、図３に示した例であれば、表示パネル１４０に表示した際に、図７のように、矩形部分の進行方向に対して前方の境界部分の輝度を高く、後方の境界部分の輝度を低くすると、輪郭がはっきりする。図６で示した例で述べれば、前方の境界部分においてクロスハッチングで示した透過量の減少分よりハッチングで示した透過量の増加分の方が大きくなるように印加電圧を制御（オーバーシュート制御）し、逆に、後方の境界部分においては、クロスハッチングで示した透過量の増加分よりハッチングで示した透過量の減少分の方が大きくなるように印加電圧を制御（オーバーシュート制御）することになる。
【００４６】
以上の説明では、背景よりも輝度の高い前景部分について「前方」、「後方」と言っているので、背景よりも輝度の低い前景部分については、上記とは逆になる。一般的に言えば、低い輝度と高い輝度の境界部分（エッジ）では、エッジの移動により、輝度が高くなる部分（画素）については、立ち上がりの遅れによる透過量の減少分よりも、オーバーシュートによる透過量の増加分の方が大きくなるように制御し、逆に、エッジの移動により、輝度が低くなる部分（画素）については、立ち下がりの遅れによる透過量の増加分よりも、オーバーシュートによる透過量の減少分の方が大きくなるように制御すれば良い。
【００４７】
以上のことから、２Ｄ表示の場合は入力画像信号Ｇａの階調及び液晶素子の前フレームでの状態に対して比較的粗い補正量であっても、オーバーシュート制御すれば、十分に残像感を減少させることができる。それゆえ、補正テーブルＨａに含まれる補正量を表す補正量データの細かさは、入力画像信号Ｇａの階調及び液晶素子の前フレームでの状態に対して、比較的粗くとも十分である。ここで、補正量データの細かさとは補正量データのビット数、即ち最小ステップによる変化幅を意味し、例えば補正量データのビット数を多くするほど、細かさが増す。
【００４８】
次に、図８（ａ）〜図１５を用いて、３Ｄ画像を表示した場合の実施の形態１による画像表示装置の動作と効果を説明する。
【００４９】
図８（ａ）及び（ｂ）は、一対の左右画像により構成される３Ｄ静止画像の例を示したものであり、階調１０の背景に階調６０の矩形部分が表示されている。図８（ａ）及び（ｂ）中の破線とバツ印と三角印は説明のために記載しており、３Ｄ静止画像には含まれない。左右画像上の破線はそれぞれ、もう一方の側の画像上の矩形部分の表示位置を示している。すなわち、図８（ａ）の左画像上に示した破線は右画像上の矩形部分の位置を表し、図８（ｂ）の右画像上に示した破線は左画像上の矩形部分の位置を表す。
【００５０】
図９は、フレームシーケンシャル方式で画像を表示する場合の時間的変化を模式的に表現した図である。横軸は時間であり、同じ表示パネルに時間的に交互に左画像（Ｌ）、右画像（Ｒ）を表示する。
【００５１】
図１０（ａ）〜（ｄ）は、液晶シャッターメガネ２００によって左右画像を分離するフレームシーケンシャル方式の３Ｄ表示装置の観察方法を模式的に示した図である。図１０（ａ）及び（ｃ）に示すように、左画像が表示されている期間では、シャッターメガネの左目用のレンズ（シャッター）の透過率が上がり、右目用のレンズ（シャッター）が下がる。逆に、図１０（ｂ）及び（ｄ）に示すように、右画像が表示されている期間では、シャッターメガネの右目用のレンズの透過率が上がり、左目用のレンズの透過率が下がる。
【００５２】
表示パネルと液晶シャッターメガネ２００の透過率の増減のタイミングは、例えば表示パネルを含むテレビ受像機と液晶シャッターメガネ２００とで赤外線通信により同期のための信号を授受するなどの方法により同期が図られる。
【００５３】
図１１は、図８（ａ）及び（ｂ）に示した３Ｄ静止画像を２Ｄモードの画像処理装置１００を用いて表示パネル１４０に表示する場合に、表示パネル１４０の液晶素子に印加される電圧レベルと液晶素子の透過率の関係を示す。図８（ａ）及び（ｂ）のバツ印の位置にある画素についての変化を示しており、横軸は時間、縦軸は印加電圧及び液晶素子の透過率を表している。階調１０の左画像（Ｌ）、階調６０の右画像（Ｒ）が交互に表示され、図６で示したのと同様にクロスハッチングで示した透過量の減少分よりハッチングで示した透過量の増加分の方が大きくなるように印加電圧が制御される。
【００５４】
図１２は、液晶シャッターメガネ２００の左目用のレンズの透過率の時間的変化を示したものである。表示パネル１４０が左画像を表示している期間は透過率が高く、表示パネル１４０が右画像を表示している期間は透過率が低い。
【００５５】
図１３は、図８（ａ）及び（ｂ）に示した３Ｄ静止画像を２Ｄモードの画像処理装置１００を用いて表示パネル１４０に表示し、液晶シャッターメガネ２００を通して観察者が左目で３Ｄ静止画像を観察した場合の見え方を示したものである。矩形部分の右側境界部分は輝度が低くなっている。これは、図１１を用いて説明した通り、２Ｄモードのオーバードライブの効果により（即ち、輝度の立ち下がりの遅れによる透過量の増加分よりもオーバーシュートによる透過量の減少分を大きくする結果）、バツ印の位置では左画像の表示時は目標輝度より低くなるためである。逆に矩形部分の左側境界部分（三角印で示す部分）は輝度が高くなっているが、これも、２Ｄモードのオーバードライブの効果（即ち、輝度の立ち上がりの遅れによる透過量の減少分よりもオーバーシュートによる透過量の増加分を大きくする結果）によるものである。これら矩形の左右境界部で目標輝度より、見た目の輝度が高い部分と低い部分は、３Ｄクロストークとして知覚される。３Ｄクロストークが発生すると、画像が二重像に知覚され、画質が劣化する。さらに二重像に知覚されると、観察者が画像を立体的に知覚できないという弊害も発生する。
【００５６】
図１４は、図８（ａ）及び（ｂ）に示した３Ｄ静止画像を３Ｄモードの画像処理装置１００を用いた場合の、表示パネル１４０の液晶素子に印加される電圧レベルと液晶素子の透過率の関係を示したものである。図１１と同様に、図８（ａ）及び（ｂ）のバツ印の位置にある画素についての変化を示しており、横軸は時間、縦軸は印加電圧及び液晶素子の透過率を表している。階調１０の左画像（Ｌ）、階調６０の右画像（Ｒ）が交互に表示され、図１１と異なり、クロスハッチングで示した透過量の減少分とハッチングで示した透過量の増加分が等しくなるように印加電圧が制御される。すなわち図１４中の矢印で示すように、図１１で示した２Ｄモードの画像処理装置１００を用いた場合より、オーバードライブのための補正量は少なめになる。また、２Ｄモードの場合に比べ、３Ｄモードの場合には、補正量を細かく、より高精度に決定する。
【００５７】
図１５は、図８（ａ）及び（ｂ）に示した３Ｄ静止画像を３Ｄモードの画像処理装置１００を用いて表示パネル１４０に表示し、液晶シャッターメガネ２００を通して観察者が左目で３Ｄ静止画像を観察した場合の見え方を示したものである。矩形部分の左右境界付近に３Ｄクロストークは発生せず、高品位の描画が可能である。
【００５８】
上記の構成では、補正量決定部１２６が、入力画像信号Ｇａと、前フレーム表示信号Ｆｆとに基いて、補正量Ｆｈを定めているが、代わりに、現フレームの入力画像信号と前フレームの入力画像信号とに基づいて補正量を求めても良く、要するに、入力画像信号Ｇａとそのフレーム間での変化乃至時間的変化に基づいて補正量を決定する構成であれば、本発明を適用することができる。
【００５９】
以上、補正テーブル生成部１２１が、温度情報Ｊａに応じて異なる補正テーブルを生成する場合について説明したが、温度情報Ｊａを補正テーブル生成部１２１ではなく、補正量決定部１２６に供給することとして、補正テーブル生成部１２１では、温度にかかわらず、同じ補正テーブルＨａを生成して補正量決定部１２６に供給し、補正量決定部１２６で、補正テーブルＨａから読み出した補正量に、温度情報Ｊａに基づく修正を加えたものを補正量として出力することとしても良い。
【００６０】
また、補正部１１０において、入力画像信号に補正量を加算することで補正を行う場合について説明したが、補正部１１０において、入力画像信号に補正量を乗算する構成の場合にも本発明を適用することができる。その場合には、補正量データとしては、入力画像信号に対する係数を表すデータが生成される。この係数は、補正後画像信号を入力画像信号よりも大きくする場合には、１よりも大きな値とされ、補正後画像信号を入力画像信号よりも小さくする場合には、１よりも小さな値とされる。
【００６１】
以上のように２Ｄ表示と３Ｄ表示の場合とでオーバードライブのための補正量を切り換えることで、２Ｄ表示を行う際は動画ボケの少なく輪郭がはっきりした映像を表示でき、また３Ｄ表示を行う際は、３Ｄクロストークが知覚されない高品位な画像表示が可能となる。
【００６２】
オーバードライブのための補正量を切り換えるため、補正量データ生成部１２０が補正量を決定するために用いる補正テーブルは、２Ｄ用と３Ｄ用に別々に補正テーブル生成部１２１に蓄える必要がある。さらに、表示パネル１４０が温度によって輝度や輝度変化速度が温度によって変わる液晶パネル等である場合、補正テーブル生成部１２１は温度に応じた複数の補正テーブルを蓄える必要がある。そのため、補正テーブル生成部１２１は大きなメモリーを備える必要があり、画像処理装置１００全体の回路規模が大きくなるという問題がある。そこで、以下では、補正テーブルのデータ量を削減し、補正テーブル生成部１２１のメモリーを削減する方法について説明する。
【００６３】
図１６は、本実施の形態において、補正テーブル生成部１２１が蓄える補正テーブルの例を示している。図１６の補正テーブルは、図２の補正テーブルと同様であるが、現フレームの入力階調（入力画像信号Ｇａに対応する値）および前フレームでのパネルの状態（前フレーム表示信号Ｆｆに対応する値）を３２階調ごとに表現しており、全体で補正量を表すデータは９×９個である。入力階調及び前フレームでのパネルの状態がテーブルに含まれている値と異なる場合には、補間により補正量を求める。
【００６４】
図１７〜図１９は、前フレームでの表示パネル１００の各画素の状態が、現フレーム表示時の輝度に及ぼす影響を示したグラフである。横軸は前フレームの表示パネル１００の各画素の状態を表しており、縦軸は輝度を表している。前フレームでの表示パネル１００の各画素の状態が、現フレーム表示時の輝度に影響を及ぼさない理想的な輝度（現フレームの輝度信号で本来表示すべき輝度）を破線で表している。（図１７では、この破線が輝度＝０の線と重なっている。）応答遅れのある実際的な表示パネル１００を利用した輝度を実線で示している。図１７は、現フレームの階調として０を、図１８は現フレームの階調として１２８を、図１９は現フレームの階調として２５５の場合を表している。
【００６５】
図２０〜図２２は、前フレームでの表示パネル１００の各画素の状態と、現フレーム表示時のクロストーク量の関係の例を示したものである。ここでクロストーク量は、人間がクロストークの強度として感じる度合いを示している。人間の目の特性として、理想的な輝度と実際の輝度との差が一定であっても、理想的な輝度が小さい場合は、クロストーク量は強く感じられ、理想的な輝度が大きい場合はクロストーク量は弱く感じられる。すなわち、理想的な輝度と実際の輝度との差の絶対量ではなく、理想的な輝度との相対的な量によって、クロストークとして感じる量が決まる。それゆえ、例えば
（クロストーク量）＝（理想的な輝度と実際輝度との差）／（現フレームの階調）
とすれば、人間の目の特性を反映したクロストーク量として定義できる。図２０〜図２２において、横軸は前フレームの表示パネル１００の各画素の状態を表しており、縦軸はクロストーク量を表している。前フレームでの表示パネル１００の各画素の状態が、現フレーム表示時の輝度に影響を及ぼさない理想的な場合、すなわちクロストーク量が０の場合を破線で表している。応答遅れのある実際的な表示パネル１００を利用した場合のクロストーク量を実線で示している。図２０は、現フレームの階調として０を、図２１は現フレームの階調として１２８を、図２２は現フレームの階調として２５５の場合を表している。
【００６６】
図２０〜図２２では、クロストーク量の強弱の範囲を区切って表示しているが、いずれの図においてもハッチングで示した範囲ではクロストーク量が「弱」あるいは「中」であり、その他の範囲では「強」の場合が存在する。クロストーク量が「強」の範囲では、画像表示装置１００によって入力画像信号Ｇａに対して細かな調整を加えることで補正後画像信号Ｇｂを生成する必要があるが、クロストーク量が「弱」もしくは「中」の範囲では、入力画像信号Ｇａに対する調整は粗く行えば十分である。
【００６７】
図２３〜図２５は、前フレームでの表示パネル１００の各画素の状態が、現フレーム表示時の輝度に及ぼす影響を示したグラフである。横軸は現フレームの階調を表しており、縦軸は輝度を表している。図１７〜図１９と同様、理想的な輝度を破線で、応答遅れのある実際的な表示パネル１００を利用した輝度を実線で示している。図２３は、前フレームでの表示パネル１００の各画素の状態が０、図２４は前フレームでの表示パネル１００の各画素の状態が１２８、図２５は前フレームでの表示パネル１００の各画素の状態が２５５の場合を表している。
【００６８】
図２６〜図２８は、前フレームでの表示パネル１００の各画素の状態と、現フレーム表示時のクロストーク量の関係の例を示したものである。横軸は現フレームの階調を表しており、縦軸はクロストーク量を表している。図２０〜図２２と同様、クロストーク量が０の場合を破線で表し、応答遅れのある実際的な表示パネル１００を利用した場合のクロストーク量を実線で示している。図２６は、前フレームでの表示パネル１００の各画素の状態が０、図２７は前フレームでの表示パネル１００の各画素の状態が１２８、図２８は前フレームでの表示パネル１００の各画素の状態が２５５の場合を表している。
【００６９】
図２６〜図２８では、クロストーク量の強弱の範囲を区切って表示している。クロストーク量が「強」の範囲では、画像表示装置１００によって入力画像信号Ｇａに対して細かな調整を加えて補正後画像信号Ｇｂを生成する必要があるが、クロストーク量が「弱」の範囲では、入力画像信号Ｇａに対する調整は粗く行えば十分である。
ここで、「細かな調整を加える」とは、例えば図１６に示される程度の補正テーブル、或いは図２に示される程度の補正テーブルを用いて補正量を決めることを言う。
【００７０】
図１７〜図２８で示した通り、補正量の細かさは一様である必要はない。図２０〜図２２で示したように、前フレームでの表示パネル１００の各画素の状態が中間的な輝度であった場合には、現フレームの階調がどのような値であっても、入力画像信号Ｇａに対する調整を粗くしても良く、あるいは調整を行わなくて良い（省いても良い）。この場合、補正テーブルとして、前フレーム表示信号Ｆｆの中間輝度（所定の下限値以上、所定の上限値以下の範囲の輝度）に対応する範囲の符号を粗くし、または省略したものを用いることとしても良い。
【００７１】
また、図２６〜図２８のハッチングで示したように、前フレームでの表示パネル１００の各画素の状態が低い場合は、現フレームの階調全域で入力画像信号Ｇａに対する調整を粗くし、或いは省いても良く、前フレームでの表示パネル１００の各画素の状態が高い場合は、現フレームの階調が高い範囲で入力画像信号Ｇａの調整を粗くし、或いは省いても良い。それゆえ、入力画像信号Ｇａに対する調整を粗くし、或いは省く範囲に対応させ、補正テーブル生成部１２１に蓄えられる補正テーブルを粗くし、もしくは削減しても、クロストークの低減効果は十分に得られる。
【００７２】
ここで、調整を粗くするとは、補正テーブルの補正量データが取り得る値を粗くする（ビット長を短くし、１ステップの変化幅を大きくする）ことを意味し、補正テーブルを粗くするとは、例えば図２９に示すように、テーブル中の互いに隣り合う複数の記憶位置（例えば図１６の行と列の交点）に対して共通の補正量データ（Ｆｈ１、Ｆｈ２、Ｆｈ３、Ｆｈ４）を記憶しておくことを意味する。また、テーブルを削減するとは、該当する記憶位置（図２の行と列の交点）が設けられておらず、その結果補正量がゼロとして処理されることを意味する。
【００７３】
図３０は、補正テーブル生成部１２１に蓄えられる補正テーブルを削減した例を表している。図３０のハッチングで示した部分は、図２０〜図２２、図２６〜図２８で示した入力画像信号Ｇａに対する調整を省いても良い範囲に該当し、補正テーブルから削減される。よって、データ量は２４個に削減される。
【００７４】
図２６〜図２８で示した入力画像信号Ｇａに対する調整を省いても良い範囲は、一例であり、表示パネル１４０の特性によって調整を省いても良い範囲は異なる。しかし、表示パネル１４０の特性が異なっていても、現フレーム階調に対して、前フレーム輝度がある値以上の範囲に関して調整を省いても良い点は変わらない。よって、現フレーム階調と前フレーム輝度の差分が、表示パネル１４０の特性に合わせて所定の値以上の範囲の補正テーブルを粗くする、あるいは削減するという方法が考えられる。図３１では、前フレームの表示パネルの各画素の状態が中程度（９６、１２８、１６０）であった場合に加えて、（現フレーム階調）−（前フレーム輝度）が６４以上の範囲を削減した場合を表しており、図３２では、前フレームの表示パネルの各画素の状態が中程度（９６、１２８、１６０）であった場合に加えて、（現フレーム階調）−（前フレーム輝度）が−６４以上の範囲を削減した場合を表している。
【００７５】
また、図２０〜図２２のハッチングで示した前フレームでの表示パネル１００の各画素の状態が中間的な輝度である範囲においては、現フレームの階調がどのような値であっても、入力画像信号Ｇａに対する調整を粗くし、或いは省いても良い。それゆえ、この範囲の階調表現を簡略化することで、フレームメモリ１２４のメモリー量を削減することが可能である。すなわち、前フレームでの表示パネル１００の各画素の状態を表す輝度のビット長を短くし、中間的な輝度に割り当てる符号を粗くしても、クロストークの低減効果は十分に得られる。この場合、予測部１２２として、中間輝度（所定の下限値以上で所定の上限値以下の範囲の輝度）に対応する符号を粗くし、或いは省略したものを出力するものを用い、復号化部１２５では、中間輝度に対応する符号を粗くし、又は省略したものを出力するものを用いられ良い。
【００７６】
以上のように補正テーブルのデータ量を削減する場合に、３Ｄモードの場合に比べ、２Ｄモードのための補正テーブルの方をより大幅に削減することとすれば、３Ｄモードにおけるより高精細な補正を確保しつつ、全体としてのデータ量の削減幅をより大きくすることができる。
【００７７】
以上で、補正テーブルのデータ量を削減し、補正テーブル生成部１２１のメモリーを削減する方法、及びフレームメモリ１２４のメモリー量を削減する方法について説明した。
【００７８】
温度によって輝度や輝度変化速度が温度によって変わる液晶パネルなどを表示パネル１４０として用いる場合、画像処理装置１００と表示パネル１４０を含んだ画像表示装置の特性に合わせて、適切な補正テーブルを生成する必要がある。以下では、表示パネル１４０の温度分布に応じて、各画素に対して異なった補正テーブルを生成し、クロストークの低減効果をより高める方法について説明する。
【００７９】
図３３は画像処理装置１００と表示パネル１４０を含んだテレビ受像機３００を表している。テレビ受像機３００は画像処理基板３１０と電源３２０とストレージ３３０を含んでおり、それらの前面に表示パネル１４０が位置する。画像処理基板３１０や電源３２０はテレビ受像機３００が稼働している間、多くの熱を発生する。一方、ストレージ３３０の発熱量は少ない。また、発熱する部分装置がない部分も存在する。そのため、テレビ受像機３００の稼働時、表示パネル１４０の面内の温度分布には偏りがある。これらの表示パネル１４０の面内のすべての画素に対して、すべて同じ補正テーブルを用いると、画素の温度特性の違いから、十分なクロストーク削減効果が得られない。
【００８０】
図３４は、表示パネル１４０を温度分布に応じて領域分割した図である。図３３で示した通り、領域Ａｇと領域Ａｈと領域Ａｉは高発熱部、領域Ａａと領域Ａｄは中発熱部、その他は発熱しない部分に対応する。そこで、高発熱部、中発熱部、その他の部分に対応する領域ごとに異なった補正テーブルを生成することで、テレビ受像機３００の稼働時の表示パネル１４０の温度分布に応じた、適切な入力画像信号Ｇａの補正が可能となる。なお、各領域に応じた補正テーブルはテレビ受像機３００の設計時に、各領域の発熱量に応じて適切に設定すればよい。
【００８１】
このように、領域に応じて異なる補正テーブルを用いる場合には、図３５に示すように、入力画像信号Ｇａとともに、入力画像信号Ｇａがどの領域の画素の階調値を表すものであるかを示す信号（領域位置信号）Ｇｐを補正テーブル生成部１２１に供給し、補正テーブル生成部１２１では、この信号Ｇｐに基づいてどの補正テーブルを出力するかを決定する。
【００８２】
図３６は、表示パネル１４０を分割した領域に応じた補正テーブルを滑らかに補間する方法の例を示した図である。横軸は表示パネル１４０の位置、縦軸は補正テーブルのある前フレーム輝度と現フレーム階調に応じた補正量を表している。実線によって、各領域間の補正量が不連続的となる場合を示している。この場合、領域間で急激に補正量が変化するため、領域の境界部分に観察者が観察する画像に擬似的な境界が見えてしまう恐れがある。そこで、図３６の破線で示すように、領域間の補正量を連続的に補間し滑らかにすることで、擬似的な境界を発生させなくすることができる。
また、表示パネル１４０の温度分布は滑らかであるので、領域間の補正量は滑らかにした方がクロストーク低減効果は高い。領域間の補正量の補間方法としては、各領域の補正量の間を線形補間や非線形補間することが考えられる。
【００８３】
このような補間は、例えば補正量決定部１２６で行うことができる。この場合、図３７に示すように、入力画像信号Ｇａがどの画素の階調を示すものであるかを示す信号（画素位置信号）Ｇｑを補正量決定部１２６に供給する。
【００８４】
図３８は、テレビ受像機３００の起動後経過時間と表示パネル１４０の温度変化のグラフを示した図である。横軸はテレビ受像機３００起動後の経過時間を示しており、縦軸は表示パネル１４０のある箇所の温度を示している。実線によって示すように、表示パネル１４０の温度は徐々に増加し、ある温度に向かって漸近してゆく。漸近していく温度は、表示パネル１４０内のどの領域であるのかや、テレビ受像機３００が設置された環境の温度によって決まる。
【００８５】
図３９は、液晶パネルなどを表示パネル１４０として用いた場合の、温度の違いによる、輝度の変化の例を示したグラフである。横軸は時間を表し、縦軸は表示パネルの輝度を表している。実線で示したグラフは表示パネル１４０の温度が低い場合の輝度を示しており、破線は表示パネル１４０の温度が高い場合の輝度を示している。温度が低い場合に比べ温度が高い場合は、輝度の上昇・下降速度が早く、到達する最大輝度・最小輝度の幅も大きくなる。すなわち、温度変化に応じて、補正量を変化させる必要がある。テレビ受像機３００に温度センサーを組み込む構成の場合は、センサー温度にも基づいて、補正量を決定する方法が考えられる。テレビ受像機３００に温度センサーを組み込まない構成の場合、図４０に示すようにテレビ受像機３００の起動後経過時間に応じて、補正量を変更する方法が考えられる。図４０は、横軸でテレビ受像機３００の起動後の経過時間、縦軸で補正量を示している。図３８で示したように、テレビ受像機３００の起動後連続的に温度は上昇して行くので、図４０に示すように補正量も連続的に減少させて行けば良い。代わりに、一定の時間間隔で離散的に変化させても良い。温度センサーを組み込まない構成の場合、コストを抑えることができる。
【００８６】
図４１は、テレビ受像機に温度センサーをする場合の例を示した図である。テレビ受像機４００は、画像処理基板４１０を備えており、画像処理基板４１０には温度センサー４１１と画像処理装置１００が備えられている。温度センサー４１１によって計測されたテレビ受像機４００内の温度から、画像処理装置１００内の温度情報生成部１３０（図１）に送られ、表示パネル上の温度を推定し、温度情報が生成される。
【００８７】
このほか、表示パネル１４０の温度を推定する方法として、時刻、テレビ受像機の据付時に設定された地域情報から環境温度を推定し、推定した温度に対し、起動後の経過時間に応じた補正を加える方法が考えられる。また、放送波に含まれる天気情報、気温情報やインターネットなどの通信回線から取得できる天気情報、気温情報を利用し、表示パネル１４０の温度を推定したり、あるいは補正したりすることが考えられる。また温度情報を生成できない場合は固定値を入力し、実質的に温度情報を用いない構成としてもよい。
【００８８】
補正量の変更は、観察者による指示に応じて行うこととしても良い。
図４２は、観察者の指示によって補正量の変更を行なえるテレビ受像機４２０と、観察者が補正量の指示を与えるリモコン４３０の構成を示した図である。観察者は、テレビ受像機４２０を観察しながら、クロストーク量を評価し、補正量の強弱や、補正量を決定するパラメータ値をリモコン４３０によってテレビ受像機４２０に指示する。これにより、観察者のクロストークの見えやすさやクロストーク量に対する敏感さなどの個人差に応じて、観察者自身が好適と思う補正量に調整することができる。
なお、指示を与える方法はテレビ受像機４２０に備えられているボタンによるなど、リモコン４３０を用いる以外の方法でも良い。
【００８９】
以上で、表示パネル１４０の温度分布に応じて、各画素に対して異なった補正テーブルを生成し、クロストークの低減効果をより高める方法について説明した。
【００９０】
なお、補正量の調整は、温度などに応じて新たな補正テーブルを作成した上で、作成した補正テーブルから補正量を読み出すことにより行っても良く、補正テーブル自体は変更せず、読み出した補正量を温度などに応じて調整することとしても良い。
【００９１】
以上本発明の実施の形態１乃至３の画像処理装置を説明したが、上記の画像処理装置で実施される画像処理方法もまた本発明の一部を成す。
【００９２】
実施の形態２．
実施の形態１では、画像処理装置を図１に示されるハードウェアにより実現するものとして説明したが、図１の構成の一部又は全部をソフトウェアにより、即ちプログラムされたコンピュータにより実現することも可能でる。
その場合の構成を図４３に示す。
【００９３】
図４３に示される画像処理装置は、入力インターフェース５０１、プロセッサ５０２、プログラムメモリ５０３、データメモリ５０４、出力インターフェース５０５およびこれらを接続するバス５０６を含む。
【００９４】
プロセッサ５０２は、入力インターフェース５０１を介して入力される画像に対して、プログラムメモリ５０３に記憶されたプログラムに従って動作する。動作の過程で種々のデータをデータメモリ５０４に記憶させる。処理の結果生成された画像はインターフェース５０５を介して出力される。データメモリ５０４は、図１のフレームメモリ１２４と同じ役割をも果たす。
【００９５】
図４４は、図４３の構成により実行される画像処理方法のフローを示す図である。この画像処理方法は、温度情報生成ステップＳＴ１３０、補正量データ生成ステップＳＴ１２０、及び補正ステップＳＴ１１０を含む。
【００９６】
補正量データ生成ステップＳＴ１２０は、図４５に示すように、補正テーブル生成ステップＳＴ１２１、予測ステップＳＴ１２２、符号化ステップＳＴ１２３、遅延ステップＳＴ１２４、復号化ステップＳＴ１２５、及び補正量決定ステップＳＴ１２６を含む。
【００９７】
まず、温度情報生成ステップＳＴ１３０では、表示パネル１４０の各画素（液晶素子）の温度情報が生成される。温度情報は表示パネルの温度をセンサーによって計測することで得られた値を表すものであっても良く、画像表示装置の起動後の経過時間、設置環境情報などから推定したものであっても良い。この動作は、実施の形態１における温度情報生成部１３０の動作と同等である。
【００９８】
補正テーブル生成ステップＳＴ１２１では、２Ｄ／３Ｄ信号Ｓｎ、及び温度情報生成部１３０で生成された温度情報Ｊａに基づきに補正テーブルＨａを生成する。
この動作は、実施の形態１における補正テーブル生成部１２１の動作と同等である。
【００９９】
予測ステップＳＴ１２２では、補正後画像信号Ｇｂと温度情報Ｊａと前フレーム表示信号Ｆｆに基いて、現在の表示パネルの状態を予測し、予測表示情報Ｆｃを生成する。この動作は、実施の形態１における予測部１２２の動作と同等である。
【０１００】
符号化ステップＳＴ１２３では、予測表示情報Ｆｃを符号化により圧縮し、前フレーム符号化表示情報Ｆｄを生成する。この動作は、実施の形態１における符号化部１２３の動作と同等である。
【０１０１】
遅延ステップＳＴ１２４では、符号化表示情報Ｆｄをデータメモリ５０４に記憶させ、１フレーム期間後に読み出す。この動作は、実施の形態１におけるフレームメモリ１２４の動作と同等である。
【０１０２】
復号化ステップＳＴ１２５では、データメモリ５０４から読み出された、符号化された前フレームの表示パネルの状態（Ｆｅ）を復号し、前フレーム表示情報Ｆｆを生成する。この動作は、この動作は、実施の形態１における復号化部１２５の動作と同等である。
【０１０３】
補正量決定ステップＳＴ１２６では、温度情報Ｊａと前フレーム表示情報Ｆｆと入力画像信号Ｇａと、補正テーブル生成部１２１から供給された補正テーブルＨａとに基づいて補正量Ｆｈを決定する。この動作は、実施の形態１における補正量決定部１２６の動作と同等である。
【０１０４】
補正ステップＳＴ１１０では、入力画像信号（現フレームの画像信号）Ｇａに、補正量Ｈｆを加算し、補正後画像信号Ｇｂを生成する。この動作は、実施の形態１における補正部１１０の動作と同等である。
【０１０５】
上記した本実施の形態の画像処理方法は、実施の形態１における画像処理装置と同等である。本実施の形態の画像処理方法は、実施の形態１の画像処理装置と同様の効果を持つ。
【符号の説明】
【０１０６】
１００  画像処理装置、  １１０  補正部、  １２０  補正量データ生成部、  １２１  補正テーブル生成部、  １２２  予測部、  １２３  符号化部、  １２４  フレームメモリ、  １２５  復号化部、  １２６  補正量決定部、  １３０  温度情報生成部、  １４０  表示パネル、  ２００  液晶シャッターメガネ、  ３００  テレビ受像機、  ３１０  画像処理基板、  ３２０  電源、  ３３０  ストレージ、  ４００  テレビ受像機、  ４１０  画像処理基板、  ４１１  温度センサー、  ４２０  テレビ受像機、  ４３０  リモコン、  ＳＴ１１０  補正ステップ、  ＳＴ１２０  補正量データ生成ステップ、  ＳＴ１２１  補正テーブル生成ステップ、  ＳＴ１２２  予測ステップ、  ＳＴ１２３  符号化ステップ、  ＳＴ１２４  遅延ステップ、  ＳＴ１２５  復号化ステップ、  ＳＴ１２６  補正量決定ステップ、  ＳＴ１３０  温度情報生成ステップ。
【図１】
2013182108.tif 000003
【図２】
2013182108.tif 000004
【図３】
2013182108.tif 000005
【図４】
2013182108.tif 000006
【図５】
2013182108.tif 000007
【図６】
2013182108.tif 000008
【図７】
2013182108.tif 000009
【図８】
2013182108.tif 000010
【図９】
2013182108.tif 000011
【図１０】
2013182108.tif 000012
【図１１】
2013182108.tif 000013
【図１２】
2013182108.tif 000014
【図１３】
2013182108.tif 000015
【図１４】
2013182108.tif 000016
【図１５】
2013182108.tif 000017
【図１６】
2013182108.tif 000018
【図１７】
2013182108.tif 000019
【図１８】
2013182108.tif 000020
【図１９】
2013182108.tif 000021
【図２０】
2013182108.tif 000022
【図２１】
2013182108.tif 000023
【図２２】
2013182108.tif 000024
【図２３】
2013182108.tif 000025
【図２４】
2013182108.tif 000026
【図２５】
2013182108.tif 000027
【図２６】
2013182108.tif 000028
【図２７】
2013182108.tif 000029
【図２８】
2013182108.tif 000030
【図２９】
2013182108.tif 000031
【図３０】
2013182108.tif 000032
【図３１】
2013182108.tif 000033
【図３２】
2013182108.tif 000034
【図３３】
2013182108.tif 000035
【図３４】
2013182108.tif 000036
【図３５】
2013182108.tif 000037
【図３６】
2013182108.tif 000038
【図３７】
2013182108.tif 000039
【図３８】
2013182108.tif 000040
【図３９】
2013182108.tif 000041
【図４０】
2013182108.tif 000042
【図４１】
2013182108.tif 000043
【図４２】
2013182108.tif 000044
【図４３】
2013182108.tif 000045
【図４４】
2013182108.tif 000046
【図４５】
2013182108.tif 000047